【手続補正書】
【提出日】平成17年3月10日(2005.3.10)
【手続補正１】
【補正対象書類名】明細書
【補正対象項目名】発明の名称
【補正方法】変更
【補正の内容】
【発明の名称】デジタルテレビ装置、コンテンツ配信装置、並びに、コンテンツの選択方法、配信方法及び表示方法
【手続補正２】
【補正対象書類名】明細書
【補正対象項目名】特許請求の範囲
【補正方法】変更
【補正の内容】
【特許請求の範囲】
【請求項１】
デジタル放送番組の受信及び表示が可能に構成されたデジタルテレビ装置において、
前記デジタル放送番組とは異なるコンテンツと該コンテンツの属性を示すコンテンツ属性情報とを受信するコンテンツ受信手段と、
前記コンテンツ受信手段により受信されたコンテンツ及びコンテンツ属性情報を蓄積するコンテンツ蓄積手段と、
表示されるデジタル放送番組に関連するコンテンツを、前記コンテンツ蓄積手段により蓄積されたコンテンツの中から前記コンテンツ蓄積手段により蓄積されたコンテンツ属性情報に基づいて選択するコンテンツ選択手段と、
前記コンテンツ選択手段により選択されたコンテンツを前記コンテンツ蓄積手段から読み出して、前記デジタル放送番組を表示する際に表示部に表示させるコンテンツ表示制御手段とを備えたことを特徴とするデジタルテレビ装置。
【請求項２】
前記コンテンツ選択手段によるコンテンツの選択は、前記デジタル放送番組の番組データから抽出したキーワードを用いて前記コンテンツ属性情報を検索することによりなされることを特徴とする請求項１記載のデジタルテレビ装置。
【請求項３】
前記コンテンツ属性情報には、ジャンル、視聴者層、及び当該コンテンツ属性情報に対応するコンテンツを表示させるための所用時間の少なくとも１つの情報が含まれることを特徴とする請求項１または２記載のデジタルテレビ装置。
【請求項４】
前記コンテンツ受信手段は、ネットワークに接続可能であり、前記コンテンツ及びコンテンツ属性情報は、前記ネットワークを通じて受信されることを特徴とする請求項１記載のデジタルテレビ装置。
【請求項５】
前記コンテンツには、文章情報、音声情報、静止画像情報及び動画像情報の少なくとも１つが含まれることを特徴とする請求項１〜４のいずれか１項に記載のデジタルテレビ装置。
【請求項６】
前記コンテンツ蓄積手段により蓄積されたコンテンツの表示履歴を個々に管理する表示履歴管理手段と、前記表示履歴管理手段により管理された表示履歴を前記コンテンツ配信装置に送信する表示履歴送信手段とを備えたことを特徴とする請求項１〜５のいずれか１項に記載のデジタルテレビ装置。
【請求項７】
前記コンテンツ選択手段は、前記コンテンツ属性情報を検索することで前記コンテンツの選択を行う請求項１記載のデジタルテレビ装置。
【請求項８】
デジタル放送番組の受信及び表示が可能に構成されたデジタルテレビ装置において、
ネットワークを介して接続されたコンテンツ配信装置から、デジタル放送番組とは異なるコンテンツを受信するコンテンツ受信手段と、
前記コンテンツ受信手段により受信されたコンテンツを蓄積するコンテンツ蓄積手段と、
前記コンテンツ蓄積手段により蓄積されたコンテンツを読み出して表示部に表示させるコンテンツ表示制御手段と、
前記コンテンツ蓄積手段により蓄積されたコンテンツの表示履歴を個別に管理する表示履歴管理手段と、
前記表示履歴管理手段により管理された表示履歴を前記ネットワークを介して前記コンテンツ配信装置に送信する表示履歴送信手段とを備えたことを特徴とするデジタルテレビ装置。
【請求項９】
前記表示履歴管理手段は、前記コンテンツの各々を特定するための識別情報を記憶し、該記憶した識別情報を用いて各コンテンツの表示履歴を個別に管理することを特徴とする請求項８記載のデジタルテレビ装置。
【請求項１０】
前記表示履歴には、前記各コンテンツを特定する識別情報及び前記各コンテンツの表示回数が含まれることを特徴とする請求項８または９記載のデジタルテレビ装置。
【請求項１１】
前記表示履歴にはさらに、前記各コンテンツの種類、前記各コンテンツの表示日時、前記各コンテンツの全部表示か一部表示かを示す表示状況、及び前記蓄積された全コンテンツの総表示回数に占める各コンテンツの表示回数の割合を示す利用率の少なくとも１つが含まれることを特徴とする請求項１０記載のデジタルテレビ装置。
【請求項１２】
請求項１〜７のいずれか１項に記載のデジタルテレビ装置に対して前記コンテンツ及び前記コンテンツ属性情報を配信可能であることを特徴とするコンテンツ配信装置。
【請求項１３】
複数のデジタルテレビ装置に対して前記コンテンツ及び前記コンテンツ属性情報を配信可能であり、前記複数のデジタルテレビ装置の各々を識別するテレビ識別手段と、前記コンテンツ及び前記コンテンツ属性情報を、該コンテンツ属性情報に基づいて、前記テレビ識別手段により識別された特定のデジタルテレビ装置に対して選択的に送信する選択送信手段とを備えたことを特徴とする請求項１２記載のコンテンツ配信装置。
【請求項１４】
請求項８〜１０のいずれか１項に記載のデジタルテレビ装置に対して前記コンテンツを配信可能であることを特徴とするコンテンツ配信装置。
【請求項１５】
前記デジタルテレビ装置から送信される表示履歴を受信し、該受信した表示履歴に基づいて、前記コンテンツの配信を制御する配信制御手段を備えたことを特徴とする請求項１４記載のコンテンツ配信装置。
【請求項１６】
デジタル放送番組に関連するコンテンツを選択するコンテンツの選択方法において、
前記デジタル放送番組とは異なるコンテンツと該コンテンツの属性を示すコンテンツ属性情報とを受信するコンテンツ受信工程と、
前記コンテンツ受信工程により受信されたコンテンツ及びコンテンツ属性情報を蓄積するコンテンツ蓄積工程と、
表示されるデジタル放送番組に関連するコンテンツを、前記コンテンツ蓄積工程において蓄積されたコンテンツの中から前記コンテンツ蓄積工程において蓄積されたコンテンツ属性情報に基づいて選択するコンテンツ選択工程とを有することを特徴とするコンテンツの選択方法。
【請求項１７】
デジタル放送番組の受信及び表示が可能に構成された複数のデジタルテレビ装置に対して、デジタル放送番組とは異なるコンテンツと該コンテンツを前記デジタル放送番組と関連付けるためのコンテンツ属性情報とを配信するコンテンツの配信方法であって、
前記デジタルテレビ装置から送信される表示履歴を受信し、該受信した表示履歴に基づいて、前記コンテンツの配信を制御することを特徴とするコンテンツの配信方法。
【請求項１８】
前記配信の制御は、前記デジタルテレビ装置に蓄積されたコンテンツの更新を行わせるための新たなコンテンツの配信を行うことによりなされることを特徴とする請求項１７記載のコンテンツの配信方法。
【請求項１９】
コンテンツの表示方法であって、
表示されるデジタル放送番組に関連するコンテンツを、該コンテンツの属性情報に基づいて選択する工程と、
前記選択されたコンテンツを前記デジタル放送と連動して表示する工程と、
を有することを特徴とするコンテンツの表示方法。
【請求項２０】
前記選択する工程において、蓄積されたコンテンツの中から、各コンテンツの属性を示すコンテンツ属性情報の検索によって前記コンテンツの選択を行うことを特徴とする請求項１９記載のコンテンツの表示方法。
【手続補正３】
【補正対象書類名】明細書
【補正対象項目名】０００１
【補正方法】変更
【補正の内容】
【０００１】
【発明の属する技術の分野】
本発明は、放送局より送信されるデジタル放送データを受信して表示するデジタルテレビ装置、コンテンツ配信装置、並びに、コンテンツの選択方法、配信方法及び表示方法に関し、特に本放送にて提供される情報とは別に、コンテンツ提供者が提供するコンテンツを視聴者に提供するデジタルテレビ装置、コンテンツ配信装置、並びに、コンテンツの選択方法、配信方法及び表示方法に関するものである。
【手続補正４】
【補正対象書類名】明細書
【補正対象項目名】０００７
【補正方法】変更
【補正の内容】
【０００７】
本発明は上記従来技術の問題を解決するためになされたものであり、その第１の目的は、番組内容に関連の深いコンテンツを番組に連動して表示させることを容易にして、コンテンツの提供効果を高めることができるデジタルテレビ装置、コンテンツ配信装置、並びに、コンテンツの選択方法、配信方法及び表示方法を提供することにある。
【手続補正５】
【補正対象書類名】明細書
【補正対象項目名】０００８
【補正方法】変更
【補正の内容】
【０００８】
本発明の第２の目的は、デジタルテレビ装置内のコンテンツの状況を監視可能にして、視聴者及びコンテンツ提供者の双方にとって有益でよりきめの細かい情報の提供、入手を可能にすることができるデジタルテレビ装置、コンテンツ配信装置、並びに、コンテンツの選択方法、配信方法及び表示方法を提供することにある。
【手続補正６】
【補正対象書類名】明細書
【補正対象項目名】０００９
【補正方法】変更
【補正の内容】
【０００９】
【課題を解決するための手段】
上記第１の目的を達成するために本発明の請求項１のデジタルテレビ装置は、デジタル放送番組の受信及び表示が可能に構成されたデジタルテレビ装置において、前記デジタル放送番組とは異なるコンテンツと該コンテンツの属性を示すコンテンツ属性情報とを受信するコンテンツ受信手段と、前記コンテンツ受信手段により受信されたコンテンツ及びコンテンツ属性情報を蓄積するコンテンツ蓄積手段と、表示されるデジタル放送番組に関連するコンテンツを、前記コンテンツ蓄積手段により蓄積されたコンテンツの中から前記コンテンツ蓄積手段により蓄積されたコンテンツ属性情報に基づいて選択するコンテンツ選択手段と、前記コンテンツ選択手段により選択されたコンテンツを前記コンテンツ蓄積手段から読み出して、前記デジタル放送番組を表示する際に表示部に表示させるコンテンツ表示制御手段とを備えたことを特徴とする。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】変更
【補正の内容】
【００１５】
上記第２の目的を達成するために本発明の請求項８のデジタルテレビ装置は、デジタル放送番組の受信及び表示が可能に構成されたデジタルテレビ装置において、ネットワークを介して接続されたコンテンツ配信装置から、デジタル放送番組とは異なるコンテンツを受信するコンテンツ受信手段と、前記コンテンツ受信手段により受信されたコンテンツを蓄積するコンテンツ蓄積手段と、前記コンテンツ蓄積手段により蓄積されたコンテンツを読み出して表示部に表示させるコンテンツ表示制御手段と、前記コンテンツ蓄積手段により蓄積されたコンテンツの表示履歴を個別に管理する表示履歴管理手段と、前記表示履歴管理手段により管理された表示履歴を前記ネットワークを介して前記コンテンツ配信装置に送信する表示履歴送信手段とを備えたことを特徴とする。
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】変更
【補正の内容】
【００１９】
上記第１の目的を達成するために本発明の請求項１２のコンテンツ配信装置は、請求項１〜７のいずれか１項に記載のデジタルテレビ装置に対して前記コンテンツ及び前記コンテンツ属性情報を配信可能であることを特徴とする。
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】変更
【補正の内容】
【００２２】
上記第２の目的を達成するために本発明の請求項１４のコンテンツ配信装置は、請求項８〜１０のいずれか１項に記載のデジタルテレビ装置に対して前記コンテンツを配信可能であることを特徴とする。
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】変更
【補正の内容】
【００２５】
上記第１の目的を達成するために本発明の請求項１６のコンテンツの選択方法は、デジタル放送番組に関連するコンテンツを選択するコンテンツの選択方法において、前記デジタル放送番組とは異なるコンテンツと該コンテンツの属性を示すコンテンツ属性情報とを受信するコンテンツ受信工程と、前記コンテンツ受信工程により受信されたコンテンツ及びコンテンツ属性情報を蓄積するコンテンツ蓄積工程と、表示されるデジタル放送番組に関連するコンテンツを、前記コンテンツ蓄積工程において蓄積されたコンテンツの中から前記コンテンツ蓄積工程において蓄積されたコンテンツ属性情報に基づいて選択するコンテンツ選択工程とを有することを特徴とする。
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】削除
【補正の内容】
【手続補正３１】
【補正対象書類名】明細書
【補正対象項目名】００３４
【補正方法】削除
【補正の内容】
【手続補正３２】
【補正対象書類名】明細書
【補正対象項目名】００３５
【補正方法】変更
【補正の内容】
【００３５】
上記第２の目的を達成するために本発明の請求項１７のコンテンツ配信方法は、デジタル放送番組の受信及び表示が可能に構成された複数のデジタルテレビ装置に対して、デジタル放送番組とは異なるコンテンツと該コンテンツを前記デジタル放送番組と関連付けるためのコンテンツ属性情報とを配信するコンテンツの配信方法であって、前記デジタルテレビ装置から送信される表示履歴を受信し、該受信した表示履歴に基づいて、前記コンテンツの配信を制御することを特徴とする。
【手続補正３３】
【補正対象書類名】明細書
【補正対象項目名】００３６
【補正方法】削除
【補正の内容】
【手続補正３４】
【補正対象書類名】明細書
【補正対象項目名】００３７
【補正方法】削除
【補正の内容】
【手続補正３５】
【補正対象書類名】明細書
【補正対象項目名】００３８
【補正方法】削除
【補正の内容】
【手続補正３６】
【補正対象書類名】明細書
【補正対象項目名】００３９
【補正方法】変更
【補正の内容】
【００３９】
上記第１の目的を達成するために本発明の請求項１９のコンテンツの表示方法は、表示されるデジタル放送番組に関連するコンテンツを、該コンテンツの属性情報に基づいて選択する工程と、前記選択されたコンテンツを前記デジタル放送と連動して表示する工程とを有することを特徴とする。
【手続補正３７】
【補正対象書類名】明細書
【補正対象項目名】００４０
【補正方法】削除
【補正の内容】
【手続補正３８】
【補正対象書類名】明細書
【補正対象項目名】００４１
【補正方法】削除
【補正の内容】
【手続補正３９】
【補正対象書類名】明細書
【補正対象項目名】００４２
【補正方法】削除
【補正の内容】
【手続補正４０】
【補正対象書類名】明細書
【補正対象項目名】００４３
【補正方法】削除
【補正の内容】
【手続補正４１】
【補正対象書類名】明細書
【補正対象項目名】００４４
【補正方法】削除
【補正の内容】
【手続補正４２】
【補正対象書類名】明細書
【補正対象項目名】００４５
【補正方法】削除
【補正の内容】
【手続補正４３】
【補正対象書類名】明細書
【補正対象項目名】００４６
【補正方法】削除
【補正の内容】
【手続補正４４】
【補正対象書類名】明細書
【補正対象項目名】００４７
【補正方法】削除
【補正の内容】
【手続補正４５】
【補正対象書類名】明細書
【補正対象項目名】００４８
【補正方法】削除
【補正の内容】
【手続補正４６】
【補正対象書類名】明細書
【補正対象項目名】０１０１
【補正方法】変更
【補正の内容】
【０１０１】
本実施の形態によれば、第１の実施の形態と同様の効果を奏することができるだけでなく、デジタルテレビ装置４０内にカウンタ機能部４０７を設けたことで、特定のコンテンツにおけるデジタルテレビ装置４０乃至番組視聴者３毎の表示履歴や、特定の番組視聴者３におけるコンテンツ毎の表示履歴をコンテンツ配信装置１側で把握できるようになり、多様なコンテンツの配信制御が可能になる。よって、視聴者及びコンテンツ提供者の双方にとって有益でよりきめの細かい情報の提供、入手を可能にすることが、一層容易となる。